(57)【要約】      （修正有）【課題】内部に収納した小物を容易に取り出すことができると共に、多く収納することができるマチ付きポケットを有したリュックサックを提供する。【解決手段】リュックサックＲは、上部に開口部を有し、開口部を開閉手段により開閉できるようにしたリュックサック本体１を有したリュックサックＲであって、出し入れ口３Ａを有するマチ付きポケット３がリュックサック本体１の内壁に取り付けられ、出し入れ口３Ａは開口部に臨み、マチ付きポケット３の底部は、リュックサック本体１の底部より高い位置にある。【選択図】図２
0003211351.tif 000002
【実用新案登録請求の範囲】
【請求項１】
上部に開口部を有し、前記開口部を開閉手段により開閉できるようにしたリュックサック本体を有したリュックサックであって、
出し入れ口を有するマチ付きポケットが前記リュックサック本体の内壁に取り付けられ、
前記出し入れ口は前記開口部に臨み、前記マチ付きポケットの底部は、前記リュックサック本体の底部より高い位置にある
ことを特徴とするリュックサック。
【請求項２】
上部に開口部を有し、前記開口部を開閉手段により開閉できるようにしたリュックサック本体を有したリュックサックであって、
出し入れ口を有するマチ付きポケットが前記リュックサック本体の内壁に取り付けられ、
前記出し入れ口は前記開口部に臨み、前記マチ付きポケットの底部は、前記リュックサック本体の底部より高い位置にあり、
前記出し入れ口の上方を横断する横断部材の一端が前記リュックサック本体の内壁に、前記横断部材の他端が前記マチ付きポケットの外壁に、それぞれ取り付けられ、
前記横断部材は、中途に設けられた雄型のバックルと雌型のバックルで着脱自在に結合されている
ことを特徴とするリュックサック。
【請求項３】
リュックサック本体は、前記リュックサック本体の上部が開閉手段により前記リュックサック本体の使用者の背中側に位置する背中側部材と、使用者の背中側から前記背中側部材より遠い側に位置する遠い側部材とに分離し、
マチ付きポケットは、前記背中側部材の内壁に取り付けられている
ことを特徴とする請求項1又は請求項２記載のリュックサック。
【請求項４】
リュックサック本体は、前記リュックサック本体の上部が前記開閉手段により前記リュックサック本体の使用者の背中側に位置する背中側部材と、使用者の背中側から前記背中側部材より遠い側に位置する遠い側部材とに分離し、
前記開閉手段を開いた状態で、前記背中側部材は立設し、前記遠い側部材は折曲するものであり、
マチ付きポケットは、前記背中側部材の内壁に取り付けられている
ことを特徴とする請求項1又は請求項２記載のリュックサック。
【請求項５】
マチ付きポケットの外壁に小物を入れるポケットを取り付けた
ことを特徴とする請求項1又は請求項２記載のリュックサック。
【考案の詳細な説明】
【技術分野】
【０００１】
本考案は、リュックサックに係り、特に、内部に収納した小物を容易に取り出すことができると共に、多く収納することができるマチ付きポケットを有したリュックサックに関する。
【背景技術】
【０００２】
内部に小物を収納できるリュックサックがある。
【考案の概要】
【考案が解決しようとする課題】
【０００３】
このリュックサックにあって、小物を整理し易いように、内部にポケットを設けるが、通常のポケットでは、ポケットの底がリュックサックの底に近接するため、ポケットの底が深く、ポケットに収納した小物を取り出しにくいという問題点が生じた。
【０００４】
本考案は、上記の問題点を考慮してなされたもので、内部に収納した小物を容易に取り出すことができると共に、多く収納することができるマチ付きポケットを有したリュックサックを提供することである。
【課題を解決するための手段】
【０００５】
請求項１記載のリュックサックは、上部に開口部を有し、前記開口部を開閉手段により開閉できるようにしたリュックサック本体を有したリュックサックであって、出し入れ口を有するマチ付きポケットが前記リュックサック本体の内壁に取り付けられ、前記出し入れ口は前記開口部に臨み、前記マチ付きポケットの底部は、前記リュックサック本体の底部より高い位置にある。
【０００６】
また、請求項２記載のリュックサックは、上部に開口部を有し、前記開口部を開閉手段により開閉できるようにしたリュックサック本体を有したリュックサックであって、出し入れ口を有するマチ付きポケットが前記リュックサック本体の内壁に取り付けられ、前記出し入れ口は前記開口部に臨み、前記マチ付きポケットの底部は、前記リュックサック本体の底部より高い位置にあり、
前記出し入れ口の上方を横断する横断部材の一端が前記リュックサック本体の内壁に、前記横断部材の他端が前記マチ付きポケットの外壁に、それぞれ取り付けられ、前記横断部材は、中途に設けられた雄型のバックルと雌型のバックルで着脱自在に結合されているものである。
【０００７】
また、請求項３記載のリュックサックは、請求項1又は請求項２記載のリュックサックにおいて、リュックサック本体は、前記リュックサック本体の上部が開閉手段により前記リュックサック本体の使用者の背中側に位置する背中側部材と、使用者の背中側から前記背中側部材より遠い側に位置する遠い側部材とに分離し、マチ付きポケットは、前記背中側部材の内壁に取り付けられているものである。
【０００８】
また、請求項４記載のリュックサックは、請求項1又は請求項２記載のリュックサックにおいて、リュックサック本体は、前記リュックサック本体の上部が開閉手段により前記リュックサック本体の使用者の背中側に位置する背中側部材と、使用者の背中側から前記背中側部材より遠い側に位置する遠い側部材とに分離し、前記開閉手段を開いた状態で、前記背中側部材は立設し、前記遠い側部材は折曲するものであり、マチ付きポケットは、前記背中側部材の内壁に取り付けられているものである。
【０００９】
また、請求項５記載のリュックサックは、請求項1又は請求項２記載のリュックサックにおいて、マチ付きポケットの外壁に小物を入れるポケットを取り付けたものである。
【考案の効果】
【００１０】
請求項１記載のリュックサックによれば、マチ付きポケットの出し入れ口はリュックサック本体の上部の開口部に臨み、マチ付きポケットの底部は、リュックサック本体の底部より高い位置にあるため、つまり、底上げされた分、リュックサック本体を開ければ、マチ付きポケットに収納された小物を出し入れ口を介して小物の確認ができると共に、マチ付きポケットに収納された小物を容易に取り出すことができる。
また、リュックサックに入れる小物をマチ付きポケットに多く収納でき、しかも、容易に取り出しやすい小物をマチ付きポケットに、それ以外の小物をマチ付きポケット以外のリュックサック本体の内部に差別化して収納することができる。
【００１１】
請求項２記載のリュックサックによれば、マチ付きポケットの出し入れ口はリュックサック本体の上部の開口部に臨み、マチ付きポケットの底部は、リュックサック本体の底部より高い位置にあるため、つまり、底上げされた分、リュックサック本体を開ければ、マチ付きポケットに収納された小物を出し入れ口を介して小物の確認ができると共に、マチ付きポケットに収納された小物を容易に取り出すことができる。
また、リュックサックに入れる小物をマチ付きポケットに多く収納でき、しかも、容易に取り出しやすい小物をマチ付きポケットに、それ以外の小物をマチ付きポケット以外のリュックサック本体の内部に差別化して収納することができる。
更に、出し入れ口の上方を横断する横断部材の一端が前記リュックサックの内壁に、前記横断部材の他端が前記マチ付きポケットの外壁に、それぞれ取り付けられているため、マチ付きポケットに小物を入れた場合、出し入れ口の広がりを横断部材により規制し、リュックサック本体の内部の小物の出し入れを容易にすることができる。
【００１２】
また、請求項３記載のリュックサックによれば、上述した請求項1又は請求項２記載の考案の効果に加え、マチ付きポケットは、強度的に強い背中側部材の内壁に取り付けられているため、出し入れ口はリュックサック本体の上部の開口部に臨んだ状態を維持して、マチ付きポケットの小物を安定して取り出すことができる。
【００１３】
また、請求項４記載のリュックサックによれば、上述した請求項1又は請求項２記載の考案の効果に加え、前記開閉手段を開いた状態で、前記背中側部材は立設し、前記遠い側部材は折曲するタイプのリュックサックにあって、マチ付きポケットは、強度的に強い背中側部材の内壁に取り付けられているため、マチ付きポケットの小物を安定して取り出すことができる。
【００１４】
また、請求項５記載のリュックサックによれば、上述した請求項1又は請求項２記載の考案の効果に加え、マチ付きポケットの外壁に小物を入れるポケットを取り付けたため、ポケットが増えた分、小物を整理して収納することができる。
【図面の簡単な説明】
【００１５】
【図１】図１は、本考案の一実施例のリュックサックを概略的に示す写真である。
【図２】図２は、図１のリュックサックの上部を開口した立設状態を概略的に示す写真である。
【図３】図３は、図２のリュックサックの上部を開口した立設状態を斜め上方から概略的に示す写真である。
【図４】図４は、図３のリュックサックのリュックサック本体の底部とマチ付きポケットの底部との関係を概略的に示す写真である。
【図５】図５は、図４のリュックサックのマチ付きポケットの底部を下方から概略的に示す写真である。
【図６】図６は、図５のリュックサックのマチ付きポケットの底部を下方から概略的に示す写真である。
【図７】図７は、図２のリュックサックのリュックサック本体の底部を上方から概略的示す写真である。
【図８】図８は、図３の横断部材を中途で外した状態を概略的に示す写真である。
【考案を実施するための形態】
【００１６】
本考案の一実施例を図１乃至図８を参照して説明する。
図１に示すＲは、内部に小物を収納できるリュックサックで、リュックサックＲは、上部に開口部１Ａを有し、開口部１Ａを開閉手段２により開閉できるようにしたリュックサック本体１を有している。
開閉手段２は、開口部１Ａを、例えば、ファスナーにより開閉自在としたもので、リュックサック本体１の上部をリュックサック本体１の左右方向に向けて幅広とするように構成してある。
【００１７】
図２乃至図７に示す３は、出し入れ口３Ａを有するマチ付きポケットで、マチ付きポケット３がリュックサック本体１の内壁に取り付けられている。マチ付きポケット３は、底部３Ｂが平らな部分を有している。
そして、出し入れ口３Ａは開口部１Ａに臨み、マチ付きポケット３の底部３Ｂは、リュックサック本体１の底部１Ｂより高い位置にある。
【００１８】
その結果、上述したリュックサックＲによれば、マチ付きポケット３の出し入れ口３Ａはリュックサック本体１の上部の開口部１Ａに臨み、マチ付きポケット３の底部３Ｂは、リュックサック本体１の底部１Ｂより高い位置にあるため、つまり、底上げされた分、リュックサック本体１を開ければ、マチ付きポケット３に収納された小物を出し入れ口３Ａを介して小物（例えば、図３に示す幼児用パンツ１０）の確認ができると共に、マチ付きポケット３に収納された小物（例えば、図３に示す幼児用パンツ１０）を容易に取り出すことができる。
【００１９】
また、リュックサックＲに入れる小物をマチ付きポケット３に多く収納でき、しかも、リュックサックＲに入れる小物を、例えば、容易に取り出しやすい小物をマチ付きポケット３に、それ以外の小物をマチ付きポケット３以外のリュックサック本体１の内部に差別化して収納することができる。
【００２０】
図３に示す４は、マチ付きポケット３の外壁３Ｅに取り付けられた小物を入れるポケットである。ポケット４が増えた分、小物を整理して収納することができる。
【００２１】
なお、望ましくは、出し入れ口３Ａの上方を横断する横断部材５を設けるのが良い。
横断部材５の一端５ＸがリュックサックＲの内壁に、横断部材５の他端５Ｙがマチ付きポケット３の外壁３Ｅに、それぞれ取り付けられている。
横断部材５（例えば、ベルト紐）は、中途に設けられた雄型のバックル５１と雌型のバックル５２で着脱自在に結合されている。
その結果、マチ付きポケット３に小物（例えば、図３に示す幼児用パンツ１０）を入れた場合、出し入れ口３Ａの広がりを横断部材５により規制し、リュックサック本体１の内部の小物の出し入れを容易にすることができる。
【００２２】
なお、上述したリュックサック本体１は、リュックサック本体１の上部が開閉手段２によりリュックサック本体１の使用者の背中側に位置する背中側部材１Ｘと、使用者の背中側から背中側部材１Ｘより遠い側に位置する遠い側部材１Ｙとに分離し、マチ付きポケット３は、背中側部材１Ｘの内壁に取り付けられている。
そして、リュックサック本体１は、内部の小物を出し入れしやすいように、図２及び図３に示すように、開閉手段２を開いた状態で、背中側部材１Ｘは立設し、遠い側部材１Ｙは折曲するものとなっている。
マチ付きポケット３は、強度的に強い背中側部材１Ｘの内壁に取り付けられているため、出し入れ口３Ａはリュックサック本体１の上部の開口部１Ａに臨んだ状態を維持して、マチ付きポケット３の小物を安定して取り出すことができる。
【００２３】
なお、図２に示す２０は背負いベルト、２１は取っ手である。
【符号の説明】
【００２４】
Ｒ      リュックサック
１      リュックサック本体
１Ａ    開口部
１Ｂ    底部（リュックサック本体の底部）
２      開閉手段
３      マチ付きポケット
３Ａ    出し入れ口
３Ｂ    底部（マチ付きポケットの底部）
【図１】
0003211351.tif 000003
【図２】
0003211351.tif 000004
【図３】
0003211351.tif 000005
【図４】
0003211351.tif 000006
【図５】
0003211351.tif 000007
【図６】
0003211351.tif 000008
【図７】
0003211351.tif 000009
【図８】
0003211351.tif 000010